(57)【特許請求の範囲】
【請求項１】
複製管理情報を含む対象情報を記録媒体に記録するに際し、前記複製管理情報の履歴をメモリに格納し、前記メモリの記憶内容を参照して、前記記録媒体への前記対象情報の記録を制限する記録システムにおいて、
前記対象情報の記録動作に先立って、前記複製管理情報の新たな記憶が可能な記憶スペースを前記メモリが有するか否かを判別する判別手段と、
前記複製管理情報を前記メモリに書き込む管理情報書込手段と、
前記判別手段が前記複製管理情報の記憶スペースが不足すると判別した場合に、前記管理情報書込手段による前記メモリへの新たな書き込みを禁止する管理情報書込制御手段と、
前記管理情報書込制御手段により前記管理情報書込手段による書き込みが禁止されたときに、前記記録媒体への通常の記録速度より高速での前記対象情報の記録を禁止する記録制限手段と、
を具備することを特徴とする記録システム。
【請求項２】
前記判別手段が前記複製管理情報の記憶スペースが不足すると判別した場合に、前記複製管理情報について前記メモリがオーバフローしたことを報知する報知手段を含むことを特徴とする請求項１に記載の記録システム。
【請求項３】
前記記録媒体への前記対象情報の記録を時限的に制限する手段をさらに含み、且つ
前記判別手段は、前記複製管理情報の新たな履歴記憶が可能となるまでの時間を判別する手段を含み、
前記報知手段は、前記複製管理情報の新たな履歴記憶が可能となるまでの最短残り時間を報知する手段を含むことを特徴とする請求項２に記載の記録システム。
【請求項４】
複製管理情報を含む対象情報を記録媒体に書き込む記録手段と、
前記対象情報から抽出した前記複製管理情報を記憶するメモリ手段と、
前記対象情報から抽出した前記複製管理情報に基づき、前記メモリ手段に既に記憶されている前記複製管理情報を参照して、前記記録手段による記録動作を制限するか否かを判別する記録動作判別手段と、
前記記録動作判別手段の判別結果に基づいて前記記録手段による前記対象情報の前記記録媒体への記録動作を制御する記録動作制御手段と、
前記記録動作判別手段が前記記録手段による記録動作を制限しないと判別したときに、前記記録動作制御手段による記録動作にともなって前記複製管理情報を前記メモリ手段に追加記憶させる管理情報記憶制御手段と、
前記メモリ手段における前記複製管理情報の記憶状況を調べ、前記複製管理情報の既記憶容量が所定量を超えているか否かを判別する記憶容量チェック手段と、
前記記憶容量チェック手段により前記複製管理情報の既記憶容量が所定量を超えていると判別されたときに、前記管理情報記憶制御手段による前記複製管理情報の前記メモリ手段への追加記憶を防止する追加記憶防止手段と、
前記追加記憶防止手段が追加記憶を防止したときに、前記記録手段による通常の記録速度より高速での前記対象情報の記録動作を禁止する記録動作制限手段と、
を具備することを特徴とする記録装置。
【請求項５】
前記記憶容量チェック手段により、前記複製管理情報の既記憶容量が所定量を超えていると判別されたときには、前記複製管理情報について前記メモリ手段がオーバフローしたことを報知する報知手段をさらに含むことを特徴とする請求項４に記載の記録装置。
【請求項６】
前記複製管理情報の履歴に基づいて前記記録媒体への前記対象情報の記録を時限的に制限する手段をさらに含み、且つ
前記記録動作判別手段は、前記複製管理情報の新たな履歴記憶が可能となるまでの時間を判別する手段を含み、
前記報知手段は、前記複製管理情報の新たな履歴記憶が可能となるまでの最短残り時間を報知する手段を含むことを特徴とする請求項５に記載の記録装置。
【請求項７】
複製管理情報を含む対象情報を記録媒体に記録するに際し、前記複製管理情報の履歴をメモリに格納し、前記メモリの記憶内容を参照して、前記記録媒体への前記対象情報の記録を制限する記録方法において、
前記対象情報の記録動作に先立って、前記複製管理情報の新たな記憶が可能な記憶スペースを前記メモリが有するか否かを判別し、
前記複製管理情報の記憶スペースが不足すると判別された場合に、前記メモリへの前記複製管理情報の新たな書き込みを禁止し、
書き込みが禁止されたときに、前記記録媒体への通常の記録速度より高速での前記対象情報の記録を禁止する、
ことを特徴とする記録方法。
【発明の詳細な説明】
【０００１】
【発明の属する技術分野】
この発明は、オーディオ信号等の情報を記録媒体に記録し得る記録装置に係り、特に、記録媒体から再生された著作権情報等の複製管理情報を含む再生情報を他の記録媒体に記録するに際し、著作権等の保護等のための適正な複製管理を行い得る記録装置に関する。
【０００２】
【従来の技術】
例えばＣＤ（コンパクトディスク）（ＣＤ−ＤＡ：CD digital audio）およびＤＶＤ（ディジタルバーサタイルディスク）（DVD Audio、DVD Video）等から再生されるビデオまたはオーディオ情報等のディジタル信号を、記録媒体に記録する場合、アナログ信号として記録するアナログ記録およびＣＤおよびＤＶＤと同様のディジタル信号により記録するディジタル記録が可能である。旧来の記録装置は、磁気テープ等を記録媒体としてアナログ記録を行うのが一般的であった。近年、ディジタル技術の発展にともない、ディジタル記録媒体へのディジタル記録を可能とする記録装置が普及している。ディジタル記録媒体としては、ＭＤ（ミニディスク〜商標）、ＣＤ−Ｒ（ＣＤレコーダブル）、ＣＤ−ＲＷ（ＣＤリライタブル）、ＤＶＤ−ＲＡＭ（ＤＶＤランダムアクセスメモリ）、ＤＶＤ−Ｒ、ＤＶＤ−Ｒ／Ｗ、ＤＶＤ＋ＲＷ、ＤＡＴ（ディジタルオーディオテープ）、固体メモリ（フラッシュメモリ）等が用いられている。
【０００３】
旧来のアナログ記録においては、アナログ信号の再生／記録に伴う情報の劣化および情報量の低下等が避けられず、また、ディジタル記録においても再生情報よりもサンプリングレートおよび量子化ビット数が少ない場合には、一旦アナログ化して再サンプリングするなど、記録するための処理に伴う情報の劣化および情報量の低下等が避けられない。ところが、再生情報と同一またはそれ以上の十分なサンプリングレートおよび量子化ビット数でディジタル記録を行った場合には、原記録媒体に対する情報の劣化および情報量の低下をほとんど生じさせずに、原記録媒体を複製することができる。
【０００４】
このような、ディジタル記録媒体にディジタル記録することが可能な記録装置においては、利用者による私的利用目的の複製が行われる。このような、記録装置、例えばＭＤを記録媒体とする記録装置等においては、いわゆる高速ダビング（通常の記録／再生速度よりも高速でダビングする機能）等のように複製作業を簡便化する機能の充実が顕著である。しかしながら、ＭＤ等のディジタル記録可能な記録装置における複製機能の充実は、私的利用を超えた複製をも容易にし、原記録媒体等の著作者の持つ著作権、例えば複製権、を侵害する危険をはらんでいる。これに対して、ディジタル記録可能な記録装置では、ＳＣＭＳ（Serial Copy Management System）等の技術を採用し、ディジタル音源からの無制限な複製を防止することが行われている。すなわち、ＳＣＭＳにおいては、例えば、著作権を保護すべき音楽データをＭＤに記録する場合、ＣＤ等のオリジナル記録媒体からＭＤへの一世代目のコピーは可能だが、このようにして記録した一世代目のＭＤの記録データを他のＭＤに「孫コピー」することはできない。このように、ＳＣＭＳでは、複製世代数を制限することにより、私的使用の範囲を超える複製に歯止めをかけている。
【０００５】
なお、このような、ディジタルオーディオ情報における著作権保護については、最近では、ＳＤＭＩ（Secure Digital Music Initiative）により、ディジタルオーディオデータを圧縮記録する技術にも対応する技術を標準化すべく検討が進められている。また、ＭＰＥＧ（Moving Picture Experts Group）により仕様策定中の動画・音声の圧縮方式を定める規格ＭＰＥＧ４においては、ＩＰＭＰ（Intellectual Property Management and Protection）と称される知的財産権保護システムとのインタフェースを含むとされている。
【０００６】
また、上述したＭＤ等の記録装置には、利用者の利便のため短時間での複製を可能とする高速ダビングのための高速記録機能を搭載することが少なくない。このため、上述したＳＣＭＳにより一世代のみの複製記録を許可するだけでは、記録装置が高速ダビング機能を搭載していれば、許可した一世代の複製を短期間に何度も行うことにより、特定の個人が私的利用の枠を越えて大量に複製を作成することが可能となる。このため、ＳＣＭＳを採用していても、高速記録機能を備えていれば、容易に著作権が侵害されるおそれがある。
【０００７】
一方、特開平１１−５３８１８号公報には、例えばＣＤからＭＤにオーディオ情報をコピーする場合、複製履歴の有無、複製回数、複製操作の履歴順位、複製操作の時間間隔、および記録媒体の交換の有無などの操作履歴に応じて複製の禁止、複製速度の制御を行うことができ、運用上認める所定条件をきめ細かく設定することができる記録装置が開示されている。この特開平１１−５３８１８号公報の記録装置では、私的利用の範囲での録音やり直し、編集やり直しなど利用者の利便性を柔軟に確保しつつ、一世代の複製数も確実に制限することができ、著作権侵害となる多量の複製行為の抑制を可能としている。
【０００８】
【発明が解決しようとする課題】
上述した特開平１１−５３８１８号公報に開示された記録装置では、オーディオ情報をコピーする場合、所定の付加情報をオーディオ情報に付加し、複製操作にともなってその付加情報を不揮発性ＲＡＭ（ＮＶＲＡＭ：non-volatile RAM）等のメモリに格納する。そして、複製操作に際し、メモリにおける付加情報の格納状況を参照することにより、複製履歴の有無、複製回数、複製操作の履歴順位、複製操作の時間間隔、および記録媒体の交換の有無などの操作履歴を判別し、それに応じて複製の禁止または複製速度の制御を行うようにしている。上述した付加情報は、操作履歴を管理するために利用し得る情報であればどのような情報でもよく、結果として著作権保護等のための複製管理情報としても用いられている。
【０００９】
このように、著作権保護等のための複製管理情報は、複製記録操作にともなってメモリの所定領域に格納され、複製操作時に、複製操作履歴等を管理するために、記録装置の動作を制御するＣＰＵ（中央処理装置）によりアクセスされる。ＣＰＵは、例えばマイクロプロセッサ等を用いて構成され、複製管理情報を格納する記憶領域を有するメモリは、そのＣＰＵの内部または外部に配設される。
【００１０】
このように、ＣＤ等の著作権保護のために利用し得る著作権情報等の複製管理情報をメモリに記憶させる場合には、そのメモリの記憶領域内に予めその複製管理情報を格納するのに必要十分と予測される有限の領域を確保しておく。ところが、このように、必要十分とみなされる有限の領域が予めメモリに確保されているとき、仮にその記憶領域の容量を上回る量の複製管理情報が書き込まれた場合には、メモリに格納された必要な情報に上書きしてしまうおそれがある。もしも、メモリに予め確保した複製管理情報の記憶領域の記憶容量を超えて書き込みが行われると、メモリ内の既に格納した複製管理情報等が破壊されてしまう。このため、複製操作履歴等の管理を適正に行うことができなくなり、適正な著作権保護等ができなくなってしまう。この問題は、特に高速ダビングを防止するために高速記録時における同一情報の複数ダビングを防止しようとする際に大きな問題となる。
【００１１】
この発明は、上述した事情に鑑みてなされたもので、メモリに予め必要十分として設定された複製管理情報の記憶領域を保護し、著作権保護等の複製操作履歴の管理を適正に行うことを可能とする記録システムおよび記録装置を提供することを目的とする。
【００１３】
【課題を解決するための手段】
上記目的を達成するため、この発明の第１の観点による記録システムは、
複製管理情報を含む対象情報を記録媒体に記録するに際し、前記複製管理情報の履歴をメモリに格納し、前記メモリの記憶内容を参照して、前記記録媒体への前記対象情報の記録を制限する記録システムにおいて、
前記対象情報の記録動作に先立って、前記複製管理情報の新たな記憶が可能な記憶スペースを前記メモリが有するか否かを判別する判別手段と、
前記複製管理情報を前記メモリに書き込む管理情報書込手段と、
前記判別手段が前記複製管理情報の記憶スペースが不足すると判別した場合に、前記管理情報書込手段による前記メモリへの新たな書き込みを禁止する管理情報書込制御手段と、
前記管理情報書込制御手段により前記管理情報書込手段による書き込みが禁止されたときに、前記記録媒体への通常の記録速度より高速での前記対象情報の記録を禁止する記録制限手段と、
を具備する。
【００１５】
前記判別手段が前記複製管理情報の記憶スペースが不足すると判別した場合に、前記複製管理情報について前記メモリがオーバフローしたことを報知する報知手段を含んでいてもよい。
【００１６】
前記記録媒体への前記対象情報の記録を時限的に制限する手段をさらに含み、且つ
前記判別手段は、前記複製管理情報の新たな履歴記憶が可能となるまでの時間を判別する手段を含み、
前記報知手段は、前記複製管理情報の新たな履歴記憶が可能となるまでの最短残り時間を報知する手段を含んでいてもよい。
【００１７】
この発明の第２の観点による記録装置は、
複製管理情報を含む対象情報を記録媒体に書き込む記録手段と、
前記対象情報から抽出した前記複製管理情報を記憶するメモリ手段と、
前記対象情報から抽出した前記複製管理情報に基づき、前記メモリ手段に既に記憶されている前記複製管理情報を参照して、前記記録手段による記録動作を制限するか否かを判別する記録動作判別手段と、
前記記録動作判別手段の判別結果に基づいて前記記録手段による前記対象情報の前記記録媒体への記録動作を制御する記録動作制御手段と、
前記記録動作判別手段が前記記録手段による記録動作を制限しないと判別したときに、前記記録動作制御手段による記録動作にともなって前記複製管理情報を前記メモリ手段に追加記憶させる管理情報記憶制御手段と、
前記メモリ手段における前記複製管理情報の記憶状況を調べ、前記複製管理情報の既記憶容量が所定量を超えているか否かを判別する記憶容量チェック手段と、
前記記憶容量チェック手段により前記複製管理情報の既記憶容量が所定量を超えていると判別されたときに、前記管理情報記憶制御手段による前記複製管理情報の前記メモリ手段への追加記憶を防止する追加記憶防止手段と、
前記追加記憶防止手段が追加記憶を防止したときに、前記記録手段による通常の記録速度より高速での前記対象情報の記録動作を禁止する記録動作制限手段と、
を具備する。
【００１９】
前記記憶容量チェック手段により、前記複製管理情報の既記憶容量が所定量を超えていると判別されたときには、前記複製管理情報について前記メモリ手段がオーバフローしたことを報知する報知手段をさらに含んでいてもよい。
【００２０】
前記複製管理情報の履歴に基づいて前記記録媒体への前記対象情報の記録を時限的に制限する手段をさらに含み、且つ
前記記録動作判別手段は、前記複製管理情報の新たな履歴記憶が可能となるまでの時間を判別する手段を含み、
前記報知手段は、前記複製管理情報の新たな履歴記憶が可能となるまでの最短残り時間を報知する手段を含んでいてもよい。
【００２１】
上述した記録システムおよび記録装置は、メモリに予め必要十分として設定された複製管理情報の記憶領域を、オーバフローする前に複製を制御又は抑制することによって保護し、適正に著作権保護等の複製操作履歴の管理を行うことができる。
【００２２】
この発明の第３の観点による記録方法は、
複製管理情報を含む対象情報を記録媒体に記録するに際し、前記複製管理情報の履歴をメモリに格納し、前記メモリの記憶内容を参照して、前記記録媒体への前記対象情報の記録を制限する記録方法において、
前記対象情報の記録動作に先立って、前記複製管理情報の新たな記憶が可能な記憶スペースを前記メモリが有するか否かを判別し、
前記複製管理情報の記憶スペースが不足すると判別された場合に、前記メモリへの前記複製管理情報の新たな書き込みを禁止し、
書き込みが禁止されたときに、前記記録媒体への通常の記録速度より高速での前記対象情報の記録を禁止する、
ことを特徴とする。
【００２３】
この方法によっても、著作権を保護しつつコンテンツの利用を図ることができる。
【００２４】
【発明の実施の形態】
以下、この発明の実施の形態を図面を参照して説明する。図１は、この発明の第１の実施の形態に係る記録システムを採用したＣＤ／ＭＤシステムの構成を示しており、図２はその要部の機能構成を示している。
【００２５】
（第１の実施の形態）
図１に示すＣＤ／ＭＤシステムは、この発明に係る記録システムを用いてＣＤの情報をＭＤにダビングする機能を有し、ＣＤ駆動部１、読み出し部２、ＣＰＵ（中央処理部）３、メモリ４、書込み部５、ＭＤ駆動部６、表示部７および操作部８を備えている。図１におけるブロック間を結ぶ矢印のうち、実線はデータまたは制御情報を含むデータの信号線を示し、破線は制御情報のみの信号線を示している。
【００２６】
ＣＤ駆動部１は、ＣＤをセットして駆動し、再生に供する。読み出し部２は、ＣＤ駆動部１にＣＤの記録面に対峙して設けた光学ヘッド２ａを介して、ＣＤから記録情報を読み出す。ＣＰＵ３は、例えばマイクロプロセッサ等を用いて構成され、操作部８の操作に応答して各種機能を達成する。ＣＰＵ３は、ＣＤからＭＤへの高速ダビングすなわち複製の高速記録が指示されたときは、読み出し部２を介してＣＤの記録情報を読み出して、読み出した情報から複製管理情報、例えば、著作権情報、を抽出し、且つメモリ４の著作権情報の格納領域における著作権情報の格納状況を調べて、メモリ４の著作権情報の格納領域に新たに格納する余裕がない場合には、著作権を保護するため、表示部７により著作権情報の記憶容量がオーバした旨の報知を行い且つ高速記録動作を禁止する。
【００２７】
なお、この例では、上述したように、高速記録が指示された際に、メモリ４に既に同一の著作権情報が記憶されていない場合にのみ、著作権の許容する範囲内として高速記録を行うことができる。一旦、著作権情報が記憶されると同一の著作権情報を有する情報については、高速記録を行うと、短時間に多くの複製が作られ、著作権を侵害するおそれがあるとして、高速記録を禁止する。
【００２８】
ここで、著作権情報は、著作権を識別するＩＤ（identifier〜識別情報）を含む情報とし、例えば、曲名、作者、アーティスト名および演奏時間等を有するＴＯＣ（目次）情報の一部または全部を含んでいてもよく、著作権識別用の特別な情報でもよい。さらに、著作権情報には、必要に応じて複製の許可／禁止を直接示す情報を含む場合もある。なお、複製管理情報としては、このような著作権情報の代りとなる他の情報、あるいは別途に定めた特定のフラグまたはコード等のような複製の判別を可能とする他の特別な情報であってもよい。
【００２９】
また、メモリ４における著作権情報等の複製管理情報の格納領域に新たに格納する余裕があるか否かの判定は、既に格納された著作権情報等の数が所定値を超えているか否か、メモリ４における著作権情報等の複製管理情報の格納領域の記憶残量が新たに抽出した著作権情報等のサイズよりも小さいか否か、などにより行う。
【００３０】
さらに、表示部７による著作権情報等の記憶容量がオーバした旨の報知は、警報音の鳴動、音声合成信号等によるアナウンス、警報ランプの点灯表示、その旨を示す文字の表示、および警報シンボル等による図形表示等のいずれか１つ、またはそれらのうちの複数の組合わせにより行う。
【００３１】
そして、メモリ４の著作権情報の格納領域に新たに格納する余裕がある場合には、ＣＰＵ３は、ＣＤから読み出した情報から抽出した著作権情報を解読することができ、さらにメモリ４の著作権情報の格納領域を参照して、既に記憶されている著作権情報のＩＤと一致しない場合にのみ、著作権情報をメモリ４に格納し、高速記録動作を許可して、書込み部５に高速記録動作を指示する。ＣＤから読み出した情報から抽出した著作権情報が複製禁止とすべきことを示している場合、著作権情報を解読することができない場合、および既に記憶されている著作権情報のＩＤと一致する場合には、ＣＰＵ３は、やはり著作権を保護することができないため、高速記録動作を禁止する。
【００３２】
メモリ４は、例えば、ＲＡＭ等からなり、複製管理情報としての著作権情報を格納する格納領域を有する。書込み部５は、高速記録動作時等の記録動作時には、ＣＰＵ３の制御により、読み出し部２で読み出されたオーディオ情報等の情報を、ＭＤ駆動部６にセットされたＭＤの記録面に対峙する光学ヘッド５ａを介して、そのＭＤに書き込む。ＭＤ駆動部６は、ＭＤをセットして駆動し、そのＭＤに光学ヘッド５ａを介して書込み部５による記録を行わせる。
【００３３】
表示部７は、ＣＰＵ３により制御されて、警報部による警報表示、音声合成等を用いた音声表示部による音声表示、文字表示部による文字表示、および画像表示部による図形表示等のうちの少なくともいずれかによる表示を行う機能を有し、著作権情報等の記憶容量がオーバした旨を報知することができる。表示部７は、ＣＰＵ３により制御されて、このＣＤ／ＭＤシステムにおけるその他の動作状態等をも表示する。操作部８は、ユーザにより操作され、その操作に基づいて、このＣＤ／ＭＤシステムの高速記録等の動作等を指示するための情報をＣＰＵ３に与える。
【００３４】
ＣＰＵ３は、図２に示すように、読み出し情報処理部３１、記憶容量チェック部３２、容量オーバ報知部３３、著作権情報確認部３４、ＩＤ照合部３５、メモリアクセス制御部３６、著作権情報記憶制御部３７、および記録動作制御部３８としての機能を有している。これら各部は、かならずしもハードウェアにより構成する必要はなく、ソフトウェアによる処理機能として実現することもできる。
【００３５】
読み出し情報処理部３１は、読み出し部２によりＣＤから読み出した情報を処理し、複製管理情報として、この場合著作権情報を抽出する。記憶容量チェック部３２は、メモリアクセス制御部３６を介してメモリ４の著作権情報の格納領域における格納状況を調べ、読み出し情報処理部３１により抽出した著作権情報を格納する領域があるか否かを、既に格納した著作権情報件数の判定、または格納領域の残量と新たに抽出した著作権情報のサイズとの比較等によって判別する。記憶容量チェック部３２は、メモリ４の著作権情報の格納領域に新たな著作権情報を格納する余裕がないと判別した場合には、容量オーバ報知部３３に容量オーバ報知を指示するとともに、記録動作制御部３８に高速記録動作の禁止を指示する。記憶容量チェック部３２は、著作権情報の格納領域に新たな著作権情報を格納する余裕があると判別した場合には、著作権情報確認部３４およびＩＤ照合部３５に、それぞれ著作権情報の照合およびＩＤの照合を指示する。
【００３６】
容量オーバ報知部３３は、記憶容量チェック部３２により容量オーバの報知が指示されると、表示部７に、警報鳴動、音声表示、文字表示および図形表示等の少なくともいずれかによって容量オーバを報知させる。著作権情報確認部３４は、記憶容量チェック部３２から著作権情報が与えられ、その確認が指示されると、与えられたものが複製可能を示す（複製禁止となっていない）適正な著作権情報であるか否かを確認する。ＩＤ照合部３５は、記憶容量チェック部３２からＩＤ照合が指示されると、著作権情報確認部３４により確認された著作権情報と一致するＩＤを持つ著作権情報が、メモリ４の著作権情報の格納領域に既に格納されているか否かを、メモリアクセス制御部３６を介して確認する。メモリアクセス制御部３６は、記憶容量チェック部３２、著作権情報確認部３４、ＩＤ照合部３５、および著作権情報記憶制御部３７によるメモリ４の著作権情報の格納領域のアクセスを制御する。
【００３７】
著作権情報記憶制御部３７は、著作権情報確認部３４により確認された著作権情報と一致するＩＤを持つ著作権情報が、メモリ４の著作権情報の格納領域に未だ格納されていないと、ＩＤ照合部３５において判定された場合に、メモリアクセス制御部３６を介してその著作権情報を、以後の複製禁止情報を含めて、メモリ４の著作権情報の格納領域に記憶させ、且つ記録動作制御部３８を介して書込み部５を制御して、読み出し部２によってＣＤから読み出された情報を高速記録動作によりＭＤに書き込ませる。記録動作制御部３８は、著作権情報記憶制御部３７により指示された場合にのみ、ＣＤから読み出された情報を書込み部５により高速記録させ、それ以外の場合には高速記録を行わせない。
【００３８】
次に、図１および図２のＣＤ／ＭＤシステムの動作における著作権情報の処理の流れについて図３に示すフローチャートを参照して説明する。
【００３９】
操作部８の操作により、例えばＣＤからＭＤへの高速ダビングのための高速記録動作が指示されると、図３に示すような著作権情報の処理が開始される。著作権情報処理が開始されると、ＣＰＵ３は、記憶容量チェック部３２において、ＣＤからの読み出し再生信号から読み出し情報処理部３１にて抽出された著作権情報をメモリ４の著作権情報の格納領域に格納した場合に、その格納領域がオーバフローするかどうかを予め判別する（ステップＳ１１）。格納領域がオーバフローすると記憶容量チェック部３２が判定すると、容量オーバ報知部３３を介して、表示部７に、警報、音声、文字、および図形等によって、容量オーバが報知される（ステップＳ１２）。そして、この場合、記憶容量チェック部３２は、記録動作制御部３８に対して高速記録動作を禁止し（ステップＳ１３）、処理を終了して定常状態に戻る。
【００４０】
ステップＳ１１において、格納領域がオーバフローしないと記憶容量チェック部３２が判定すると、読み出し情報処理部３１にて抽出された著作権情報が複製可能として解読されたか否かを著作権情報確認部３４にて判別し（ステップＳ１４）、複製可能であると解読された場合には、ＩＤ照合部３５によってその著作権情報に含まれるＩＤが、格納領域に既に格納されているすべての著作権情報のＩＤと不一致であるか否かを判別する（ステップＳ１５）。ステップＳ１５において、不一致であると判定された場合には、著作権情報記憶制御部２７により、その著作権情報が、以後の記録を禁止としてメモリ４の格納領域に格納され（ステップＳ１６）、対応するＣＤから読み出した情報のＭＤへの高速記録を許可し（ステップＳ１７）、書込み部５による高速書込み動作を行わせて、処理を終了して定常状態に戻る。
【００４１】
ステップＳ１４において、読み出し情報処理部３１にて抽出された著作権情報が複製可能として解読されない場合、つまり著作権情報が解読できないとき、または複製禁止として解読されたとき、著作権情報確認部３４は、記録動作制御部３８に対して高速記録動作を禁止し（ステップＳ１８）、処理を終了して定常状態に戻る。
【００４２】
また、ステップＳ１５において、その著作権情報に含まれるＩＤに一致するＩＤを有する著作権情報が、格納領域に既に格納されている場合にも、ステップＳ１８に移行し、ＩＤ照合部３５は、記録動作制御部３８に対して高速記録動作を禁止し、処理を終了して定常状態に戻る。
【００４３】
上述したように、ＣＤ等の著作権を保護するためにメモリ４に格納される著作権情報等の複製管理情報が、予め必要十分と予測してメモリ４に確保した量を超えそうになった時は、それ以上の記憶操作を禁止し、且つその旨を聴覚または視覚による情報で報知することによりユーザに知らせ、それに付随する処理も抑止する。
【００４４】
すなわち、ＣＤ駆動部１にセットしたＣＤから、ＭＤ駆動部６にセットしたＭＤに高速記録によりダビングする場合には、操作部８により、高速ダビングのための高速記録動作が指示操作されると、ＣＤから読み出し部２を介して著作権情報を読み出し、この著作権情報をＣＰＵ３に取り込む。ＣＰＵ３は、例えばメモリ４に既に記憶されている著作権情報の数を判別して、著作権情報のメモリ４への格納の可／不可を判定し、さらに高速記録の可／不可を判別して、書込み部５および表示部７を制御する。
【００４５】
ＣＰＵ３は、高速記録動作が指示されて、著作権情報を記憶する場合、メモリ４に格納された著作権情報量が許容限界に達しているか否かを判別する。メモリ４の著作権情報量が許容限界に達している場合には、著作権情報の内容に関わらずメモリ４に記憶させない。このとき、表示部７にはその旨を知らせる情報を表示する。この著作権情報が記憶できない旨の表示は、文字によるものでもよく、音声によるものでもよい。さらには、警報またはシンボルマーク等の図形表示によって、著作権情報が記憶できない旨を表示してもよい。このように著作権情報が記憶できない場合には、著作権の保護を保証することができないため、高速記録動作を禁止して、高速ダビングを阻止する。
【００４６】
このように、本来必要十分として設定したメモリ４の著作権情報の格納領域がオーバフローしそうな場合には、それ以上の記憶が阻止されて、既に格納された著作権情報が保護され、これにより著作権を適正に保護することができるようになった。また、ユーザは、表示部７による報知により、著作権保護の目的で高速ダビングが禁止されていることを明確に把握することができる。
【００４７】
なお、著作権を保護するために、複製書込み世代数を１世代でなく予め規定した所定世代（ｎ世代）に制限する場合もあると考えられ、そのような場合には、著作権情報等の複製管理情報を用いて、世代管理を行うようにすればよい。
【００４８】
（第２の実施の形態）
図４は、この発明の第２の実施の形態に係る記録システムを採用したＣＤ／ＭＤシステムの要部の機能構成を示している。この場合、複製の高速記録を行うことができない旨の音声または文字等による表示に代えて、操作部８等の操作を無効としている。図１に示す構成との相違は、ＣＰＵ３に代えて、メモリ４の著作権情報の記憶領域がオーバフローしそうになった際に、音声または文字等による表示を行わず、操作部８等の操作を無効とするＣＰＵ３Ａを用いている点である。すなわち、図４に示すＣＰＵ３Ａは、図２のＣＰＵ３における容量オーバ報知部３３を省き、記憶容量チェック部３２および記録動作制御部３８に代えて、記憶容量チェック部３２Ａおよび記録動作制御部３８Ａを設けている。
【００４９】
したがって、ＣＰＵ３Ａは、図４に示すように、読み出し情報処理部３１、記憶容量チェック部３２Ａ、著作権情報確認部３４、ＩＤ照合部３５、メモリアクセス制御部３６、著作権情報記憶制御部３７、および記録動作制御部３８Ａとしての機能を有している。
【００５０】
ＣＰＵ３Ａは、やはりマイクロプロセッサ等を用いて構成され、操作部８の操作に応答して各種機能を達成する。ＣＰＵ３Ａは、ＣＤからＭＤへの高速ダビングすなわち複製の高速記録が指示されたときは、読み出し部２を介してＣＤの記録情報を読み出して、読み出した情報から複製管理情報、例えば、著作権情報、を抽出し、且つメモリ４の著作権情報の格納領域における著作権情報の格納状況を調べて、メモリ４の著作権情報の格納領域に新たに格納する余裕がない場合には、著作権を保護するため操作部８の高速記録に係る操作を無効として高速記録動作を禁止する。
【００５１】
そして、メモリ４の著作権情報の格納領域に新たに格納する余裕がある場合には、ＣＰＵ３Ａは、ＣＤから読み出した情報から抽出した著作権情報を解読することができ、さらにメモリ４の著作権情報の格納領域を参照して、既に記憶されている著作権情報のＩＤと一致しない場合にのみ、著作権情報をメモリ４に格納し、高速記録動作を許可して、書込み部５に高速記録動作を指示する。ＣＤから読み出した情報から抽出した著作権情報が複製禁止とすべきことを示している場合、著作権情報を解読することができない場合、および既に記憶されている著作権情報のＩＤと一致する場合には、ＣＰＵ３Ａは、やはり著作権を保護することができないため、高速記録動作を禁止する。
【００５２】
ＣＰＵ３Ａの読み出し情報処理部３１は、読み出し部２によりＣＤから読み出した情報を処理し、複製管理情報として、この場合著作権情報を抽出する。記憶容量チェック部３２Ａは、メモリアクセス制御部３６を介してメモリ４の著作権情報の格納領域における格納状況を調べ、読み出し情報処理部３１により抽出した著作権情報を格納する領域があるか否かを、既に格納した著作権情報件数の判定、または格納領域の残量と新たに抽出した著作権情報のサイズとの比較等によって判別する。記憶容量チェック部３２Ａは、メモリ４の著作権情報の格納領域に新たな著作権情報を格納する余裕がないと判別した場合には、記録動作制御部３８Ａに、操作部８の高速記録動作をさせるための操作を無効とし、高速記録動作を禁止するように指示する。記憶容量チェック部３２Ａは、著作権情報の格納領域に新たな著作権情報を格納する余裕があると判別した場合には、著作権情報確認部３４およびＩＤ照合部３５に、それぞれ著作権情報の照合およびＩＤの照合を指示する。
【００５３】
著作権情報確認部３４は、記憶容量チェック部３２Ａから著作権情報が与えられ、その確認が指示されると、与えられたものが複製可能を示す（複製禁止となっていない）適正な著作権情報であるか否かを確認する。ＩＤ照合部３５は、記憶容量チェック部３２ＡからＩＤ照合が指示されると、著作権情報確認部３４により確認された著作権情報と一致するＩＤを持つ著作権情報が、メモリ４の著作権情報の格納領域に既に格納されているか否かを、メモリアクセス制御部３６を介して確認する。メモリアクセス制御部３６は、記憶容量チェック部３２Ａ、著作権情報確認部３４、ＩＤ照合部３５、および著作権情報記憶制御部３７によるメモリ４の著作権情報の格納領域のアクセスを制御する。
【００５４】
著作権情報記憶制御部３７は、著作権情報確認部３４により確認された著作権情報と一致するＩＤを持つ著作権情報が、メモリ４の著作権情報の格納領域に未だに格納されていないと、ＩＤ照合部３５において判定された場合に、メモリアクセス制御部３６を介してその著作権情報を、以後の複製禁止情報を含めて、メモリ４の著作権情報の格納領域に記憶させ、且つ記録動作制御部３８Ａを介して書込み部５を制御して、ＣＤから読み出された情報を高速記録動作によりＭＤに書き込ませる。記録動作制御部３８Ａは、著作権情報記憶制御部３７により指示された場合にのみ、ＣＤから読み出された情報を書込み部５により高速記録させ、それ以外の場合には高速記録を行わせない。
【００５５】
次に、図４のＣＤ／ＭＤシステムの動作における著作権情報の処理の流れについて図５に示すフローチャートを参照して説明する。
【００５６】
操作部８の操作により、ＣＤからＭＤへの高速ダビングのための高速記録動作が指示されると、図５に示すような著作権情報の処理が開始される。著作権情報処理が開始されると、ＣＰＵ３Ａは、記憶容量チェック部３２Ａにおいて、ＣＤからの読み出し再生信号から読み出し情報処理部３１にて抽出された著作権情報をメモリ４の著作権情報の格納領域に格納した場合に、その格納領域がオーバフローするかどうかを予め判別する（ステップＳ２１）。格納領域がオーバフローすると記憶容量チェック部３２Ａが判定すると、記憶容量チェック部３２Ａは、記録動作制御部３８Ａに対して高速記録に係る操作部８の操作を無効として、高速記録操作を禁止し（ステップＳ２２）、処理を終了して定常状態に戻る。
【００５７】
ステップＳ２１において、格納領域がオーバフローしないと記憶容量チェック部３２Ａが判定すると、読み出し情報処理部３１にて抽出された著作権情報が複製可能として解読されたか否かを著作権情報確認部３４にて判別し（ステップＳ２３）、複製可能であると解読された場合には、ＩＤ照合部３５によってその著作権情報に含まれるＩＤが、格納領域に既に格納されているすべての著作権情報のＩＤと不一致であるか否かを判別する（ステップＳ２４）。ステップＳ２４において、不一致であると判定された場合には、著作権情報記憶制御部３７により、その著作権情報が、以後の記録を禁止としてメモリ４の格納領域に格納され（ステップＳ２５）、対応するＣＤから読み出した情報のＭＤへの高速記録を許可し（ステップＳ２６）、書込み部５による高速書込み動作を行わせて、処理を終了して定常状態に戻る。
【００５８】
ステップＳ２３において、読み出し情報処理部３１にて抽出された著作権情報が複製可能として解読されない場合、つまり著作権情報が解読できないとき、または複製禁止として解読されたとき、著作権情報確認部３４は、記録動作制御部３８Ａに対して高速記録動作を禁止し（ステップＳ２７）、処理を終了して定常状態に戻る。
【００５９】
また、ステップＳ２４において、その著作権情報に含まれるＩＤに一致するＩＤを有する著作権情報が、格納領域に既に格納されている場合にも、ステップＳ２７に移行し、ＩＤ照合部３５は、記録動作制御部３８Ａに対して高速記録動作を禁止し、処理を終了して定常状態に戻る。
【００６０】
（第３の実施の形態）
図６は、この発明の第３の実施の形態に係る記録システムを採用したＣＤ／ＭＤシステムの要部の機能構成を示している。この場合、複製の高速記録を禁止する際に、複製の記録モードを高速記録でない、通常速度の通常記録を行うようにしている。図１に示す構成との相違は、ＣＰＵ３に代えて、メモリ４の著作権情報の記憶領域がオーバフローしそうになった際に、高速記録動作を禁止し、通常速度の通常記録動作を行うように切替えるＣＰＵ３Ｂを用いている点である。すなわち、図６に示すＣＰＵ３Ｂは、図２のＣＰＵ３における記憶容量チェック部３２および記録動作制御部３８に代えて、記憶容量チェック部３２Ｂおよび記録動作制御部３８Ｂを設けている。
【００６１】
したがって、ＣＰＵ３Ｂは、図６に示すように、読み出し情報処理部３１、記憶容量チェック部３２Ｂ、容量オーバ報知部３３、著作権情報確認部３４、ＩＤ照合部３５、メモリアクセス制御部３６、著作権情報記憶制御部３７、および記録動作制御部３８Ｂとしての機能を有している。
【００６２】
ＣＰＵ３Ｂは、マイクロプロセッサ等を用いて構成され、操作部８の操作に応答して各種機能を達成する。ＣＰＵ３Ｂは、ＣＤからＭＤへの高速ダビングすなわち複製の高速記録が指示されたときは、読み出し部２を介してＣＤの記録情報を読み出して、読み出した情報から複製管理情報、例えば、著作権情報、を抽出し、且つメモリ４の著作権情報の格納領域における著作権情報の格納状況を調べて、メモリ４の著作権情報の格納領域に新たに格納する余裕がない場合には、著作権を保護するため、表示部７により著作権情報の記憶容量がオーバした旨の報知を行わせ且つ高速記録動作を禁止し、通常速度の通常記録動作に切替える。
【００６３】
そして、メモリ４の著作権情報の格納領域に新たに格納する余裕がある場合には、ＣＰＵ３Ｂは、ＣＤから読み出した情報から抽出した著作権情報を解読することができ、さらにメモリ４の著作権情報の格納領域を参照して、既に記憶されている著作権情報のＩＤと一致しない場合にのみ、著作権情報をメモリ４に格納し、高速記録動作を許可して、書込み部５に高速記録動作を指示する。ＣＤから読み出した情報から抽出した著作権情報が複製禁止とすべきことを示している場合、著作権情報を解読することができない場合、および既に記憶されている著作権情報のＩＤと一致する場合には、ＣＰＵ３Ｂは、やはり著作権を保護することができないため、高速記録動作を禁止する。
【００６４】
表示部７は、ＣＰＵ３Ｂにより制御されて、警報部による警報表示、音声合成等を用いた音声表示部による音声表示、文字表示部による文字表示、および画像表示部による図形表示等のうちの少なくともいずれかによる表示を行う機能を有し、著作権情報等の記憶容量がオーバした旨を報知することができる。表示部７は、ＣＰＵ３Ｂにより制御されて、このＣＤ／ＭＤシステムにおけるその他の動作状態等をも表示する。操作部８は、ユーザにより操作され、その操作に基づいて、このＣＤ／ＭＤシステムの高速記録等の動作等を指示するための情報をＣＰＵ３Ｂに与える。
【００６５】
ＣＰＵ３Ｂの読み出し情報処理部３１は、読み出し部２によりＣＤから読み出した情報を処理し、複製管理情報として、この場合著作権情報を抽出する。記憶容量チェック部３２Ｂは、メモリアクセス制御部３６を介してメモリ４の著作権情報の格納領域における格納状況を調べ、読み出し情報処理部３１により抽出した著作権情報を格納する領域があるか否かを、既に格納した著作権情報件数の判定、または格納領域の残量と新たに抽出した著作権情報のサイズとの比較等によって判別する。記憶容量チェック部３２Ｂは、メモリ４の著作権情報の格納領域に新たな著作権情報を格納する余裕がないと判別した場合には、容量オーバ報知部３３に容量オーバ報知を指示するとともに、記録動作制御部３８Ｂに高速記録動作の禁止および通常動作の許可／実行を指示する。記憶容量チェック部３２Ｂは、著作権情報の格納領域に新たな著作権情報を格納する余裕があると判別した場合には、著作権情報確認部３４およびＩＤ照合部３５に、それぞれ著作権情報の照合およびＩＤの照合を指示する。
【００６６】
容量オーバ報知部３３は、記憶容量チェック部３２Ｂにより容量オーバの報知が指示されると、表示部７に、警報鳴動、音声表示、文字表示および図形表示等の少なくともいずれかによって容量オーバを報知させる。著作権情報確認部３４は、記憶容量チェック部３２Ｂから著作権情報が与えられ、その確認が指示されると、与えられたものが複製可能を示す適正な著作権情報であるか否かを確認する。ＩＤ照合部３５は、記憶容量チェック部３２ＢからＩＤ照合が指示されると、著作権情報確認部３４により確認された著作権情報と一致するＩＤを持つ著作権情報が、メモリ４の著作権情報の格納領域に既に格納されているか否かを、メモリアクセス制御部３６を介して確認する。メモリアクセス制御部３６は、記憶容量チェック部３２Ｂ、著作権情報確認部３４、ＩＤ照合部３５、および著作権情報記憶制御部３７によるメモリ４の著作権情報の格納領域のアクセスを制御する。
【００６７】
著作権情報記憶制御部３７は、著作権情報確認部３４により確認された著作権情報と一致するＩＤを持つ著作権情報が、メモリ４の著作権情報の格納領域に未だに格納されていないと、ＩＤ照合部３５において判定された場合に、メモリアクセス制御部３６を介してその著作権情報を、以後の複製禁止情報を含めて、メモリ４の著作権情報の格納領域に記憶させ、且つ記録動作制御部３８Ｂを介して書込み部５を制御して、読み出し部２によってＣＤから読み出された情報を高速記録動作によりＭＤに書き込ませる。記録動作制御部３８Ｂは、著作権情報記憶制御部３７により指示された場合にのみ、ＣＤから読み出された情報を書込み部５により高速記録させ、それ以外の場合には高速記録を行わせない。
【００６８】
次に、図６のＣＤ／ＭＤシステムの動作における著作権情報の処理の流れについて図７に示すフローチャートを参照して説明する。
【００６９】
操作部８の操作により、ＣＤからＭＤへの高速ダビングのための高速記録動作が指示されると、図７に示すような著作権情報の処理が開始される。著作権情報処理が開始されると、ＣＰＵ３Ｂは、記憶容量チェック部３２Ｂにおいて、ＣＤからの読み出し再生信号から読み出し情報処理部３１にて抽出された著作権情報をメモリ４の著作権情報の格納領域に格納した場合に、その格納領域がオーバフローするかどうかを予め判別する（ステップＳ３１）。格納領域がオーバフローすると記憶容量チェック部３２Ｂが判定すると、容量オーバ報知部３３を介して表示部７に、警報、音声、文字、および図形等によって容量オーバが報知される（ステップＳ３２）。そして、この場合、記憶容量チェック部３２Ｂは、記録動作制御部３８Ｂに対して高速記録動作を禁止し且つ通常速度による通常記録を許可して（ステップＳ３３）、通常記録動作を行わせて、処理を終了して定常状態に戻る。
【００７０】
ステップＳ３１において、格納領域がオーバフローしないと記憶容量チェック部３２Ｂが判定すると、読み出し情報処理部３１にて抽出された著作権情報が複製可能として解読されたか否かを著作権情報確認部３４にて判別し（ステップＳ３４）、複製可能であると解読された場合には、ＩＤ照合部３５によってその著作権情報に含まれるＩＤが、格納領域に既に格納されているすべての著作権情報のＩＤと不一致であるか否かを判別する（ステップＳ３５）。ステップＳ３５において、不一致であると判定された場合には、著作権情報記憶制御部３７により、その著作権情報が、以後の記録を禁止としてメモリ４の格納領域に格納され（ステップＳ３６）、対応するＣＤから読み出した情報のＭＤへの高速記録を許可し（ステップＳ３７）、書込み部５による高速書込み動作を行わせて、処理を終了して定常状態に戻る。
【００７１】
ステップＳ３４において、読み出し情報処理部３１にて抽出された著作権情報が複製可能として解読されない場合、つまり著作権情報が解読できないとき、または複製禁止として解読されたとき、著作権情報確認部３４は、記録動作制御部３８Ｂに対して高速記録動作を禁止し（ステップＳ３８）、処理を終了して定常状態に戻る。
【００７２】
また、ステップＳ３５において、その著作権情報に含まれるＩＤに一致するＩＤを有する著作権情報が、格納領域に既に格納されている場合にも、ステップＳ３８に移行し、ＩＤ照合部３５は、記録動作制御部３８Ｂに対して高速記録動作を禁止し、処理を終了して定常状態に戻る。
【００７３】
（第４の実施の形態）
図８は、この発明の第４の実施の形態に係る記録システムを採用したＣＤ／ＭＤシステムの要部の機能構成を示している。この場合、複製の高速記録の禁止をする際に、時間を限って所定時間について複製の高速記録を禁止するようにしており、記憶領域がオーバフローしそうになって、高速記録動作を禁止した際に、その旨を報知させるとともに、併せて次に著作権情報を記憶して高速記録動作を行うことができるようになるまでの最短残り時間を報知させる。図１に示す構成との相違は、ＣＰＵ３に代えて、メモリ４の著作権情報の記憶領域がオーバフローしそうになった際に、高速記録動作を禁止し、次に著作権情報を記憶して高速記録動作を行うことができるようになるまでの最短残り時間を報知させるＣＰＵ３Ｃを用いている点である。すなわち、図８に示すＣＰＵ３Ｃは、図２のＣＰＵ３における記憶容量チェック部３２に代えて、記憶容量チェック部３２Ｃを設け、且つ図２のＣＰＵ３における容量オーバ報知部３３に代えて、容量オーバ／最短残り時間報知部３９を設けている。
【００７４】
したがって、ＣＰＵ３Ｃは、図８に示すように、読み出し情報処理部３１、記憶容量チェック部３２Ｃ、著作権情報確認部３４、ＩＤ照合部３５、メモリアクセス制御部３６、著作権情報記憶制御部３７、記録動作制御部３８、および容量オーバ／最短残り時間報知部３９としての機能を有している。
【００７５】
ＣＰＵ３Ｃは、マイクロプロセッサ等を用いて構成され、操作部８の操作に応答して各種機能を達成する。ＣＰＵ３Ｃは、ＣＤからＭＤへの高速ダビングすなわち複製の高速記録が指示されたときは、読み出し部２を介してＣＤの記録情報を読み出して、読み出した情報から複製管理情報、例えば、著作権情報、を抽出し、且つメモリ４の著作権情報の格納領域における著作権情報の格納状況を調べて、メモリ４の著作権情報の格納領域に新たに格納する余裕がない場合には、著作権を保護するため、表示部７により著作権情報の記憶容量がオーバした旨および次に高速記録動作を行うことができるまでの最短残り時間の報知を行わせ且つ高速記録動作を禁止する。
【００７６】
そして、メモリ４の著作権情報の格納領域に新たに格納する余裕がある場合には、ＣＰＵ３Ｃは、ＣＤから読み出した情報から抽出した著作権情報を解読することができ、さらにメモリ４の著作権情報の格納領域を参照して、既に記憶されている著作権情報のＩＤと一致しない場合にのみ、著作権情報をメモリ４に格納し、高速記録動作を許可して、書込み部５に高速記録動作を指示する。ＣＤから読み出した情報から抽出した著作権情報が複製禁止とすべきことを示している場合、著作権情報を解読することができない場合、および既に記憶されている著作権情報のＩＤと一致する場合には、ＣＰＵ３Ｃは、やはり著作権を保護することができないため、高速記録動作を禁止する。
【００７７】
表示部７は、ＣＰＵ３Ｃにより制御されて、警報部による警報表示、音声合成等を用いた音声表示部による音声表示、文字表示部による文字表示、および画像表示部による図形表示等のうちの少なくともいずれかによる表示を行う機能を有し、著作権情報等の記憶容量がオーバした旨および次に高速記録が可能となるまでの最短残り時間を報知することができる。表示部７は、ＣＰＵ３Ｃにより制御されて、このＣＤ／ＭＤシステムにおけるその他の動作状態等をも表示する。操作部８は、ユーザにより操作され、その操作に基づいて、このＣＤ／ＭＤシステムの高速記録等の動作等を指示するための情報をＣＰＵ３Ｃに与える。
【００７８】
ＣＰＵ３Ｃの読み出し情報処理部３１は、読み出し部２によりＣＤから読み出した情報を処理し、複製管理情報として、この場合著作権情報を抽出する。記憶容量チェック部３２Ｃは、メモリアクセス制御部３６を介してメモリ４の著作権情報の格納領域における格納状況を調べ、読み出し情報処理部３１により抽出した著作権情報を格納する領域があるか否かを、既に格納した著作権情報件数の判定、または格納領域の残量と新たに抽出した著作権情報のサイズとの比較等によって判別する。記憶容量チェック部３２Ｃは、メモリ４の著作権情報の格納領域に新たな著作権情報を格納する余裕がないと判別した場合には、次に高速記録動作が可能となるまでの最短残り時間を算出し、容量オーバ／最短残り時間報知部３９に容量オーバ報知を指示するとともに、次に高速記録が可能となるまでの最短残り時間の表示を指示する。記憶容量チェック部３２Ｃは、著作権情報の格納領域に新たな著作権情報を格納する余裕があると判別した場合には、著作権情報確認部３４およびＩＤ照合部３５に、それぞれ著作権情報の照合およびＩＤの照合を指示する。
【００７９】
容量オーバ／最短残り時間報知部３９は、記憶容量チェック部３２Ｃにより容量オーバの報知が指示されると、表示部７に、警報鳴動、音声表示、文字表示および図形表示等の少なくともいずれかによって容量オーバを報知させ、且つ次に高速記録動作が可能となるまでの最短残り時間を表示させる。著作権情報確認部３４は、記憶容量チェック部３２Ｃから著作権情報が与えられ、その確認が指示されると、与えられたものが複製可能を示す適正な著作権情報であるか否かを確認する。ＩＤ照合部３５は、記憶容量チェック部３２ＣからＩＤ照合が指示されると、著作権情報確認部３４により確認された著作権情報と一致するＩＤを持つ著作権情報が、メモリ４の著作権情報の格納領域に既に格納されているか否かを、メモリアクセス制御部３６を介して確認する。メモリアクセス制御部３６は、記憶容量チェック部３２Ｃ、著作権情報確認部３４、ＩＤ照合部３５、および著作権情報記憶制御部３７によるメモリ４の著作権情報の格納領域のアクセスを制御する。
【００８０】
著作権情報記憶制御部３７は、著作権情報確認部３４により確認された著作権情報と一致するＩＤを持つ著作権情報が、メモリ４の著作権情報の格納領域に未だに格納されていないと、ＩＤ照合部３５において判定された場合に、メモリアクセス制御部３６を介してその著作権情報を、以後の複製禁止情報を含めて、メモリ４の著作権情報の格納領域に記憶させ、且つ記録動作制御部３８を介して書込み部５を制御して、読み出し部２によってＣＤから読み出された情報を高速記録動作によりＭＤに書き込ませる。記録動作制御部３８は、著作権情報記憶制御部３７により指示された場合にのみ、ＣＤから読み出された情報を書込み部５により高速記録させ、それ以外の場合には高速記録を行わせない。
【００８１】
次に、図８のＣＤ／ＭＤシステムの動作における著作権情報の処理の流れについて図９に示すフローチャートを参照して説明する。
【００８２】
操作部８の操作により、ＣＤからＭＤへの高速ダビングのための高速記録動作が指示されると、図９に示すような著作権情報の処理が開始される。著作権情報処理が開始されると、ＣＰＵ３Ｃは、記憶容量チェック部３２Ｃにおいて、ＣＤからの読み出し再生信号から読み出し情報処理部３１にて抽出された著作権情報をメモリ４の著作権情報の格納領域に格納した場合に、その格納領域がオーバフローするかどうかを予め判別する（ステップＳ４１）。格納領域がオーバフローすると記憶容量チェック部３２Ｃが判定すると、容量オーバ／最短残り時間報知部３９を介して表示部７に、警報、音声、文字、および図形等によって容量オーバが報知され、且つ次に高速記録動作が可能となるまでの最短残り時間が表示される（ステップＳ４２）。そして、この場合、記憶容量チェック部３２Ｃは、記録動作制御部３８に対して高速記録動作を禁止して（ステップＳ４３）、処理を終了して定常状態に戻る。
【００８３】
ステップＳ４１において、格納領域がオーバフローしないと記憶容量チェック部３２Ｃが判定すると、読み出し情報処理部３１にて抽出された著作権情報が複製可能として解読されたか否かを著作権情報確認部３４にて判別し（ステップＳ４４）、複製可能であると解読された場合には、ＩＤ照合部３５によってその著作権情報に含まれるＩＤが、格納領域に既に格納されているすべての著作権情報のＩＤと不一致であるか否かを判別する（ステップＳ４５）。ステップＳ４５において、不一致であると判定された場合には、著作権情報記憶制御部２７により、その著作権情報が、以後の記録を禁止としてメモリ４の格納領域に格納され（ステップＳ４６）、対応するＣＤから読み出した情報のＭＤへの高速記録を許可し（ステップＳ４７）、書込み部５による高速書込み動作を行わせて、処理を終了して定常状態に戻る。
【００８４】
ステップＳ４４において、読み出し情報処理部３１にて抽出された著作権情報が複製可能として解読されない場合、つまり著作権情報が解読できないとき、または複製禁止として解読されたとき、著作権情報確認部３４は、記録動作制御部３８に対して高速記録動作を禁止し（ステップＳ４８）、処理を終了して定常状態に戻る。
【００８５】
また、ステップＳ４５において、その著作権情報に含まれるＩＤに一致するＩＤを有する著作権情報が、格納領域に既に格納されている場合にも、ステップＳ４８に移行し、ＩＤ照合部３５は、記録動作制御部３８に対して高速記録動作を禁止し、処理を終了して定常状態に戻る。
【００８６】
なお、この発明の記録システムの少なくとも一部は、専用のシステムとして構成することなく、通常のコンピュータシステムを用いて実現することができる。例えば、コンピュータシステムに上述の動作を実行するためのプログラムを格納した媒体（フロッピーディスク、ＣＤ−ＲＯＭ等）から該プログラムをインストールすることにより、上述の処理を実行する記録システムを構築することができる。インストールによって、当該プログラムは、コンピュータシステム内のハードディスク等の媒体に格納されて、記録システムを構成し、実行に供される。
【００８７】
以上の実施の形態においては、ＣＤ／ＭＤシステムを例にこの発明を説明したが、元のデータを格納した媒体及び記録先の媒体は任意である。例えば、ＣＤから半導体メモリ（フラッシュメモリなど）やＤＶＤ、ＣＤ−Ｒにデータを記録するシステムにこの発明を適用できる。
【００８８】
また、インターネット等の通信ネットワーク上に設けたＦＴＰ（File Transfer Protocol）サーバに当該プログラムを登録し、ＦＴＰクライアントにネットワークを介して配信してもよく、通信ネットワークの電子掲示板（ＢＢＳ：Bulletin Board System）等に該プログラムを登録し、これをネットワークを介して配信してもよい。そして、このプログラムを起動し、ＯＳ（Operating System）の制御下において実行することにより、上述の処理を達成することができる。さらに、通信ネットワークを介してプログラムを転送しながら起動実行することによっても、上述の処理を達成することができる。
【００８９】
【発明の効果】
以上説明したように、この発明によれば、メモリに予め必要十分として設定された複製管理情報の記憶領域を保護し、著作権保護等の複製操作履歴の管理を適正に行うことを可能とする記録システムおよび記録装置を提供することができる。
【図面の簡単な説明】
【図１】この発明の第１の実施の形態に係る記録システムを適用したＣＤ／ＭＤシステムの構成を模式的に示すブロック図である。
【図２】図１のＣＤ／ＭＤシステムの要部の構成を模式的に示すブロック図である。
【図３】図１のＣＤ／ＭＤシステムにおける著作権情報処理動作を説明するためのフローチャートである。
【図４】この発明の第２の実施の形態に係る記録システムを適用したＣＤ／ＭＤシステムの要部の構成を模式的に示すブロック図である。
【図５】図４のＣＤ／ＭＤシステムにおける著作権情報処理動作を説明するためのフローチャートである。
【図６】この発明の第３の実施の形態に係る記録システムを適用したＣＤ／ＭＤシステムの要部の構成を模式的に示すブロック図である。
【図７】図６のＣＤ／ＭＤシステムにおける著作権情報処理動作を説明するためのフローチャートである。
【図８】この発明の第４の実施の形態に係る記録システムを適用したＣＤ／ＭＤシステムの要部の構成を模式的に示すブロック図である。
【図９】図８のＣＤ／ＭＤシステムにおける著作権情報処理動作を説明するためのフローチャートである。
【符号の説明】
１    ＣＤ（コンパクトディスク）駆動部
２    読み出し部
３    ＣＰＵ（中央処理部）
４    メモリ
５    書込み部
６    ＭＤ（ミニディスク）駆動部
７    表示部
８    操作部
２ａ    光学ヘッド
５ａ    光学ヘッド
３Ａ    ＣＰＵ
３Ｂ    ＣＰＵ
３Ｃ    ＣＰＵ
３１    読み出し情報処理部
３２    記憶容量チェック部
３３    容量オーバ報知部
３４    著作権情報確認部
３５    ＩＤ（識別情報）照合部
３６    メモリアクセス制御部
３７    著作権情報記憶制御部
３８    記録動作制御部
３２Ａ    記憶容量チェック部
３２Ｂ    記憶容量チェック部
３２Ｃ    記憶容量チェック部
３８Ａ    記録動作制御部
３８Ｂ    記録動作制御部
３９    容量オーバ／最短残り時間報知部
【図１】
0003746176.tif 000002
【図２】
0003746176.tif 000003
【図３】
0003746176.tif 000004
【図４】
0003746176.tif 000005
【図５】
0003746176.tif 000006
【図６】
0003746176.tif 000007
【図７】
0003746176.tif 000008
【図８】
0003746176.tif 000009
【図９】
0003746176.tif 000010